(57)【要約】      （修正有）【課題】曲面状の表示面を有する表示装置において、ＴＦＴ基板及びＣＦ基板の位置ずれに起因する表示品位の低下を抑える。【解決手段】曲面状の表示面を有する表示装置であって、第１方向に曲げられた第１基板１００と、第１方向に曲げられ、第１基板１００に対向配置された第２基板２００と、第１基板１００と第２基板２００との間に配置された複数のスペーサ２１０と、複数のスペーサ２１０それぞれを保持する複数の台座６０ａと、を含み、第１基板１００は、複数のデータ線１１と、複数のゲート線１２とを含み、複数の台座６０ａは、表示面の中央側に配置される中央台座と、表示面の第１方向の端部側に配置される端部台座と、中央台座と端部台座との間に配置される中間台座とを含み、中間台座の第１方向の幅は、中央台座の第１方向の幅よりも広い。【選択図】図１０
2017181677.tif 000002
【特許請求の範囲】
【請求項１】
曲面状の表示面を有する表示装置であって、
第１方向に曲げられた第１基板と、
前記第１方向に曲げられ、前記第１基板に対向配置された第２基板と、
前記第１基板と前記第２基板との間に配置された複数のスペーサと、
前記複数のスペーサそれぞれを保持する複数の台座と、
を含み、
前記第１基板は、複数のデータ線と、複数のゲート線とを含み、
前記複数の台座は、前記表示面の中央側に配置される中央台座と、前記表示面の前記第１方向の端部側に配置される端部台座と、前記中央台座と前記端部台座との間に配置される中間台座とを含み、
前記中間台座の前記第１方向の幅は、前記中央台座の前記第１方向の幅よりも広い、
ことを特徴とする表示装置。
【請求項２】
前記中間台座の前記第１方向の幅は、さらに、前記端部台座の前記第１方向の幅よりも広い、
ことを特徴とする請求項１に記載の表示装置。
【請求項３】
複数の前記中間台座において、前記表示面の中央側に近づく程、前記第１方向の幅が狭く、かつ、前記表示面の端部側に近づく程、前記第１方向の幅が狭くなっている、
ことを特徴とする請求項２に記載の表示装置。
【請求項４】
前記複数の台座それぞれの前記第１方向の幅について、該幅が最大となる前記中間台座から前記端部台座までのそれぞれの前記幅の変化の割合が、該幅が最大となる前記中間台座から前記中央台座までのそれぞれの前記幅の変化の割合よりも大きい、
ことを特徴とする請求項３に記載の表示装置。
【請求項５】
前記中央台座の前記第１方向の幅と、前記端部台座の前記第１方向の幅とは互いに等しい、
ことを特徴とする請求項１に記載の表示装置。
【請求項６】
前記複数の台座それぞれの前記第１方向とは異なる第２方向の幅は互いに等しい、
ことを特徴とする請求項１に記載の表示装置。
【請求項７】
前記第１基板は、さらに、前記複数のゲート線及び前記複数のデータ線の各交差部に配置された複数の薄膜トランジスタと、複数の画素電極と、共通電極とを含み、
前記台座は、平面的に見て、少なくとも、前記ゲート線と、前記薄膜トランジスタを構成する半導体層と、前記データ線と、前記共通電極とが重畳する領域に形成されている、
ことを特徴とする請求項１に記載の表示装置。
【請求項８】
前記第１基板は、さらに、前記複数のゲート線及び前記複数のデータ線の各交差部に配置された複数の薄膜トランジスタと、複数の画素電極と、共通電極と、前記共通電極に共通電圧を供給する複数の共通配線とを含み、
前記台座は、平面的に見て、少なくとも、前記ゲート線と、前記薄膜トランジスタを構成する半導体層と、前記データ線と、前記共通電極と、前記共通配線とが重畳する領域に形成されている、
ことを特徴とする請求項１に記載の表示装置。
【請求項９】
前記第２基板は、さらに、光を透過する複数の光透過部と、該複数の光透過部それぞれの周囲に形成され、光の透過を遮断する遮光部と、を含み、
前記遮光部は、前記第１方向に延在する複数の第１遮光部分と、前記第１方向とは異なる第２方向に延在する複数の第２遮光部分と、を含み、
前記複数の第２遮光部分は、前記表示面の中央側に配置される中央遮光部分と、前記表示面の前記第１方向の端部側に配置される端部遮光部分と、前記中央遮光部分と前記端部遮光部分との間に配置される中間遮光部分とを含み、
前記中間遮光部分の前記第１方向の幅は、前記中央遮光部分の前記第１方向の幅よりも広く、かつ、前記端部遮光部分の前記第１方向の幅よりも広い、
ことを特徴とする請求項１に記載の表示装置。
【請求項１０】
曲面状の表示面を有する表示装置であって、
第１方向に曲げられた第１基板と、
前記第１方向に曲げられ、前記第１基板に対向配置された第２基板と、
前記第１基板と前記第２基板との間に配置された複数のスペーサと、
を含み、
前記第１基板は、複数のデータ線と、複数のゲート線と、前記複数のデータ線及び前記複数のゲート線の各交差部に配置された複数の薄膜トランジスタとを含み、
前記複数のスペーサは、前記表示面の中央側に配置される中央スペーサと、前記表示面の前記第１方向の端部側に配置される端部スペーサと、前記中央スペーサと前記端部スペーサとの間に配置される中間スペーサとを含み、
前記複数の薄膜トランジスタは、前記中央スペーサに対向する中央薄膜トランジスタと、前記端部スペーサに対向する端部薄膜トランジスタと、前記中間スペーサに対向する中間薄膜トランジスタとを含み、
前記中間薄膜トランジスタを構成する半導体層の前記第１方向の幅は、前記中央薄膜トランジスを構成する半導体層の前記第１方向の幅よりも広い、
ことを特徴とする表示装置。
【請求項１１】
曲面状の表示面を有する表示装置であって、
第１方向に曲げられた第１基板と、
前記第１方向に曲げられ、前記第１基板に対向配置された第２基板と、
前記第１基板と前記第２基板との間に配置された複数のスペーサと、
を含み、
前記第１基板は、前記第１方向に延在する、複数のデータ線及び複数のゲート線の何れか一方の複数の第１配線と、前記第１方向と直交する第２方向に延在する、複数のデータ線及び複数のゲート線の何れか他方の複数の第２配線とを含み、
前記複数のスペーサは、前記表示面の中央側に配置される中央スペーサと、前記表示面の前記第１方向の端部側に配置される端部スペーサと、前記中央スペーサと前記端部スペーサとの間に配置される中間スペーサとを含み、
前記中間スペーサに対向する前記第２配線の前記第１方向の幅は、前記中央スペーサに対向する前記第２配線の前記第１方向の幅よりも広い、
ことを特徴とする表示装置。
【請求項１２】
前記第１基板は、前記複数のデータ線及び前記複数のゲート線の各交差部に配置された複数の薄膜トランジスタをさらに含み、
前記複数の薄膜トランジスタは、前記中央スペーサに対向する前記第２配線に電気的に接続される中央薄膜トランジスタと、前記中間スペーサに対向する前記第２配線に電気的に接続される中間薄膜トランジスタとを含み、
前記中間薄膜トランジスタのチャネル長は、前記中央薄膜トランジスタのチャネル長よりも長い、
ことを特徴とする請求項１０に記載の表示装置。
【発明の詳細な説明】
【技術分野】
【０００１】
本発明は、表示装置に関する。
【背景技術】
【０００２】
近年、曲面状の表示面を有する液晶表示装置が提案されている（例えば特許文献１）。上記液晶表示装置では、一対の基板（薄膜トランジスタ基板（ＴＦＴ基板）及びカラーフィルタ基板（ＣＦ基板））それぞれが曲面状に湾曲するように形成される。
【先行技術文献】
【特許文献】
【０００３】
【特許文献１】特開２００９−９２８８４号公報
【発明の概要】
【発明が解決しようとする課題】
【０００４】
ここで、本願発明者らは、曲面状の表示面を有する液晶表示装置において、ＴＦＴ基板とＣＦ基板との位置ずれに起因して表示不良が生じることを見出した。具体的には、上記液晶表示装置の製造工程において、ＴＦＴ基板とＣＦ基板とを貼り合わせて湾曲させた場合に、両基板に延伸応力及び圧縮応力が働き、表示領域における応力分布に応じてＴＦＴ基板とＣＦ基板との位置ずれの大きさ（位置ずれ量）が場所ごとに異なる。このため、位置ずれ量が大きい場所では、ＴＦＴ基板とＣＦ基板との間の距離（ギャップ）を保持するための、ＣＦ基板に形成されたスペーサ（フォトスペーサ）が、ＴＦＴ基板に形成された台座に載らず、上記ギャップが不均一になる。これにより、混色や光漏れが生じ表示ムラが視認されること分かった。図１６は、ＴＦＴ基板とＣＦ基板とを貼り合わせた表示パネルを曲率半径５００ｍｍで曲げたときに生じる位置ずれ量のシミュレーションの結果を示す図である。ここでは、横長形状の表示パネルにおいて、左右両端を固定し、長手方向（左右方向）に曲げたときの位置ずれ量を示している。図１６に示すように、表示パネルの中央部及び左右端部では、位置ずれ量が小さく、表示パネルの中央部と左右端部との間の領域において、位置ずれ量が大きくなっていることが分かる。上記シミュレーション結果によれば、位置ずれ量が大きい領域において、上記ギャップが変化して上記表示ムラが顕著になると考察される。
【０００５】
本発明は、上記実情に鑑みてなされたものであり、その目的は、曲面状の表示面を有する表示装置において、ＴＦＴ基板及びＣＦ基板の位置ずれに起因する表示品位の低下を抑えることにある。
【課題を解決するための手段】
【０００６】
上記課題を解決するために、本発明に係る表示装置は、曲面状の表示面を有する表示装置であって、第１方向に曲げられた第１基板と、前記第１方向に曲げられ、前記第１基板に対向配置された第２基板と、前記第１基板と前記第２基板との間に配置された複数のスペーサと、前記複数のスペーサそれぞれを保持する複数の台座と、を含み、前記第１基板は、複数のデータ線と、複数のゲート線とを含み、前記複数の台座は、前記表示面の中央側に配置される中央台座と、前記表示面の前記第１方向の端部側に配置される端部台座と、前記中央台座と前記端部台座との間に配置される中間台座とを含み、前記中間台座の前記第１方向の幅は、前記中央台座の前記第１方向の幅よりも広い、ことを特徴とする。
【０００７】
本発明に係る表示装置では、前記中間台座の前記第１方向の幅は、さらに、前記端部台座の前記第１方向の幅よりも広くなっていてもよい。
【０００８】
本発明に係る表示装置では、複数の前記中間台座において、前記表示面の中央側に近づく程、前記第１方向の幅が狭く、かつ、前記表示面の端部側に近づく程、前記第１方向の幅が狭くなっていてもよい。
【０００９】
本発明に係る表示装置では、前記複数の台座それぞれの前記第１方向の幅について、該幅が最大となる前記中間台座から前記端部台座までのそれぞれの前記幅の変化の割合が、該幅が最大となる前記中間台座から前記中央台座までのそれぞれの前記幅の変化の割合よりも大きくてもよい。
【００１０】
本発明に係る表示装置では、前記中央台座の前記第１方向の幅と、前記端部台座の前記第１方向の幅とは互いに等しくてもよい。
【００１１】
本発明に係る表示装置では、前記複数の台座それぞれの前記第１方向とは異なる第２方向の幅は互いに等しくてもよい。
【００１２】
本発明に係る表示装置では、前記第１基板は、さらに、前記複数のゲート線及び前記複数のデータ線の各交差部に配置された複数の薄膜トランジスタと、複数の画素電極と、共通電極とを含み、前記台座は、平面的に見て、少なくとも、前記ゲート線と、前記薄膜トランジスタを構成する半導体層と、前記データ線と、前記共通電極とが重畳する領域に形成されていてもよい。
【００１３】
本発明に係る表示装置では、前記第１基板は、さらに、前記複数のゲート線及び前記複数のデータ線の各交差部に配置された複数の薄膜トランジスタと、複数の画素電極と、共通電極と、前記共通電極に共通電圧を供給する複数の共通配線とを含み、前記台座は、平面的に見て、少なくとも、前記ゲート線と、前記薄膜トランジスタを構成する半導体層と、前記データ線と、前記共通電極と、前記共通配線とが重畳する領域に形成されていてもよい。
【００１４】
本発明に係る表示装置では、前記第２基板は、さらに、光を透過する複数の光透過部と、該複数の光透過部それぞれの周囲に形成され、光の透過を遮断する遮光部と、を含み、前記遮光部は、前記第１方向に延在する複数の第１遮光部分と、前記第１方向とは異なる第２方向に延在する複数の第２遮光部分と、を含み、前記複数の第２遮光部分は、前記表示面の中央側に配置される中央遮光部分と、前記表示面の前記第１方向の端部側に配置される端部遮光部分と、前記中央遮光部分と前記端部遮光部分との間に配置される中間遮光部分とを含み、前記中間遮光部分の前記第１方向の幅は、前記中央遮光部分の前記第１方向の幅よりも広く、かつ、前記端部遮光部分の前記第１方向の幅よりも広くてもよい。
【００１５】
上記課題を解決するために、本発明に係る表示装置は、曲面状の表示面を有する表示装置であって、第１方向に曲げられた第１基板と、前記第１方向に曲げられ、前記第１基板に対向配置された第２基板と、前記第１基板と前記第２基板との間に配置された複数のスペーサと、を含み、前記第１基板は、複数のデータ線と、複数のゲート線と、前記複数のデータ線及び前記複数のゲート線の各交差部に配置された複数の薄膜トランジスタとを含み、前記複数のスペーサは、前記表示面の中央側に配置される中央スペーサと、前記表示面の前記第１方向の端部側に配置される端部スペーサと、前記中央スペーサと前記端部スペーサとの間に配置される中間スペーサとを含み、前記複数の薄膜トランジスタは、前記中央スペーサに対向する中央薄膜トランジスタと、前記端部スペーサに対向する端部薄膜トランジスタと、前記中間スペーサに対向する中間薄膜トランジスタとを含み、前記中間薄膜トランジスタを構成する半導体層の前記第１方向の幅は、前記中央薄膜トランジスを構成する半導体層の前記第１方向の幅よりも広い、ことを特徴とする。
【００１６】
上記課題を解決するために、本発明に係る表示装置は、曲面状の表示面を有する表示装置であって、第１方向に曲げられた第１基板と、前記第１方向に曲げられ、前記第１基板に対向配置された第２基板と、前記第１基板と前記第２基板との間に配置された複数のスペーサと、を含み、前記第１基板は、前記第１方向に延在する、複数のデータ線及び複数のゲート線の何れか一方の複数の第１配線と、前記第１方向と直交する第２方向に延在する、複数のデータ線及び複数のゲート線の何れか他方の複数の第２配線とを含み、前記複数のスペーサは、前記表示面の中央側に配置される中央スペーサと、前記表示面の前記第１方向の端部側に配置される端部スペーサと、前記中央スペーサと前記端部スペーサとの間に配置される中間スペーサとを含み、前記中間スペーサに対向する前記第２配線の前記第１方向の幅は、前記中央スペーサに対向する前記第２配線の前記第１方向の幅よりも広い、ことを特徴とする。
【００１７】
本発明に係る表示装置では、前記第１基板は、前記複数のデータ線及び前記複数のゲート線の各交差部に配置された複数の薄膜トランジスタをさらに含み、前記複数の薄膜トランジスタは、前記中央スペーサに対向する前記第２配線に電気的に接続される中央薄膜トランジスタと、前記中間スペーサに対向する前記第２配線に電気的に接続される中間薄膜トランジスタとを含み、前記中間薄膜トランジスタのチャネル長は、前記中央薄膜トランジスタのチャネル長よりも長くてもよい。
【発明の効果】
【００１８】
本発明に係る表示装置によれば、曲面状の表示面を有する表示装置において、ＴＦＴ基板及びＣＦ基板の位置ずれに起因する表示品位の低下を抑えることができる。
【図面の簡単な説明】
【００１９】
【図１】本実施形態に係る液晶表示装置の全体構成の概略を示す図である。
【図２】本実施形態に係る液晶表示装置が湾曲した状態を示す断面図である。
【図３】本実施形態に係る液晶表示装置が湾曲した状態を示す断面図である。
【図４】本実施形態に係る液晶表示装置の曲げ方向を示す平面図である。
【図５】本実施形態に係る液晶表示装置の他の曲げ方向を示す平面図である。
【図６】本実施形態に係る表示パネルの領域Ａの画素の概略構成を示す平面図である。
【図７】本実施形態に係る表示パネルの領域Ｂの画素の概略構成を示す平面図である。
【図８】図６に示す領域Ａに配置されるＴＦＴの周辺領域を拡大した平面図である。
【図９】図８のＡ−Ａ´断面図である。
【図１０】図８のＢ−Ｂ´断面図である。
【図１１】図６に示す領域Ｂに配置されるＴＦＴの周辺領域を拡大した平面図である。
【図１２】図１１のＣ−Ｃ´断面図である。
【図１３】本実施形態に係る台座の幅と、位置ずれ量との関係を示すグラフである。
【図１４】本実施形態に係る台座の幅と、位置ずれ量との関係を示すグラフである。
【図１５】本実施形態に係るブラックマトリクスの幅と、位置ずれ量との関係を示すグラフである。
【図１６】ＴＦＴ基板とＣＦ基板とを貼り合わせた表示パネルを曲げたときに生じる位置ずれ量のシミュレーションの結果を示す図である。
【発明を実施するための形態】
【００２０】
本発明の一実施形態について、図面を用いて以下に説明する。本発明の実施形態では、表示装置として、液晶表示装置を例に挙げるが、本発明はこれに限定されず、例えば有機ＥＬ表示装置等であってもよい。
【００２１】
図１は、本実施形態に係る液晶表示装置の概略構成を示す図である。液晶表示装置１は、画像を表示する表示パネル１０と、表示パネル１０を駆動する駆動回路（データ線駆動回路２０、ゲート線駆動回路３０等）と、駆動回路を制御する制御回路４０と、表示パネル１０に背面側から光を照射するバックライト装置５０とを含んで構成されている。駆動回路は、表示パネル１０に設けられてもよい。
【００２２】
液晶表示装置１は、図２に示すように、表示面側が凹状となり背面側が凸状となるように湾曲した曲面状の外形、又は、図３に示すように、表示面側が凸状となり背面側が凹状となるように湾曲した曲面状の外形を有している。図２に示す液晶表示装置１では、薄膜トランジスタ基板（ＴＦＴ基板１００）を構成するガラス基板１０１には延伸応力が働き、カラーフィルタ基板（ＣＦ基板２００）を構成するガラス基板２０１には圧縮応力が働く。図３に示す液晶表示装置１では、ＴＦＴ基板１００を構成するガラス基板１０１には圧縮応力が働き、ＣＦ基板２００を構成するガラス基板２０１には延伸応力が働く。尚、詳細は後述するが、ＴＦＴ基板１００及びＣＦ基板２００の間には液晶層３００が配置されており、ＴＦＴ基板１００及びＣＦ基板２００は、液晶層３００を挟持しつつシール部７０により互いに貼り付け固定されている。また、ＴＦＴ基板１００及びＣＦ基板２００は、両基板間に配置されるスペーサにより互いの距離（ギャップ）が一定に保持されている。
【００２３】
図１に戻り、表示パネル１０には、行方向に延在する複数のデータ線１１と、列方向に延在する複数のゲート線１２とが設けられている。各データ線１１と各ゲート線１２との各交差部には、薄膜トランジスタ１３（ＴＦＴ）が設けられている。各データ線１１及び各ゲート線１２は、液晶表示装置１の曲げ方向に応じて湾曲した形状（凸状）に形成される。上記曲げ方向とは、表示面に水平な方向であって、例えば行方向又は列方向をいう。例えば、上記曲げ方向が行方向の場合（図４参照）、ゲート線１２は直線状に形成され、データ線１１は湾曲状に形成される。また上記曲げ方向が列方向の場合（後述の図５参照）、ゲート線１２は湾曲状に形成され、データ線１１は直線状に形成される。
【００２４】
表示パネル１０には、各データ線１１と各ゲート線１２との各交差部に対応して、複数の画素１４がマトリクス状（行方向及び列方向）に配置されている。表示パネル１０を構成するＴＦＴ基板１００には、各画素１４に対応して設けられた複数の画素電極１５と、各画素１４に共通する１つの共通電極１６とが設けられている。共通電極１６は、１つの画素１４又は複数の画素１４ごとに分割して配置されていてもよい。また、詳細は後述するが、ＴＦＴ基板１００には、各データ線１１と各ゲート線１２との交差部近傍に、スペーサに接触する台座６０が配置されている。
【００２５】
制御回路４０は、外部から入力された入力データ（同期信号、映像信号等）に基づき、データ線駆動回路２０及びゲート線駆動回路３０の駆動タイミングを制御するための各種の制御信号と、表示パネル１０の表示領域に表示する画像に対応する画像データとを出力する。
【００２６】
データ線駆動回路２０は、制御回路４０から入力された制御信号及び画像データに基づいて、各データ線１１にデータ信号（データ電圧）を出力する。
【００２７】
ゲート線駆動回路３０は、外部から入力された電源電圧と、制御回路４０から入力された制御信号とに基づいてゲート信号（ゲート電圧）を生成し、各ゲート線１２に出力する。
【００２８】
図６は、表示パネル１０の画素１４の概略構成を示す平面図である。図６では、図１６に示す位置ずれ量が大きい領域（領域Ａ）に配置される画素１４を示している。図７では、図１６に示す位置ずれ量が小さい領域（領域Ｂ）に配置される画素１４を示している。
【００２９】
図６及び図７において、隣り合う２本のデータ線１１と、隣り合う２本のゲート線１２とで区画された領域が１つの画素１４に相当する。各画素１４には、ＴＦＴ１３が設けられている。ＴＦＴ１３は、絶縁膜１０２（図９等参照）上に形成された半導体層２１と、半導体層２１上に形成されたドレイン電極２２及びソース電極２３とを含んで構成されている。ドレイン電極２２はデータ線１１に電気的に接続されており、ソース電極２３はスルーホール２４を介して画素電極１５に電気的に接続されている。
【００３０】
各画素１４には、スズ添加酸化インジウム（ＩＴＯ）等の透明導電膜からなる画素電極１５が形成されている。画素電極１５は、複数の開口部（スリット）を有しており、ストライプ状に形成されている。開口部の形状は限定されない。各画素１４に共通して、表示領域全体にＩＴＯ等の透明導電膜からなる１つの共通電極１６が形成されている。共通電極１６における、スルーホール２４及びＴＦＴ１３のソース電極２３に重なる領域には、画素電極１５とソース電極２３とを電気的に接続させるための開口部（図６及び図７の点線囲みに相当）が形成されている。
【００３１】
図８は、図６に示す領域Ａに配置されるＴＦＴ１３の周辺領域を拡大した平面図である。図９は図８のＡ−Ａ´断面図であり、図１０は図８のＢ−Ｂ´断面図である。
【００３２】
図９に示すように、表示パネル１０は、ＴＦＴ基板１００と、ＣＦ基板２００と、ＴＦＴ基板１００及びＣＦ基板２００の間に挟持される液晶層３００と、を含んで構成されている。
【００３３】
ＴＦＴ基板１００では、ガラス基板１０１上にゲート線１２が形成され、ゲート線１２を覆うように絶縁膜１０２が形成されている。絶縁膜１０２上には半導体層２１が形成され、半導体層２１上にデータ線１１、ドレイン電極２２及びソース電極２３が形成され、これらを覆うように絶縁膜１０３が形成されている。絶縁膜１０３上に有機絶縁膜１０４が形成さ、有機絶縁膜１０４上に共通電極１６が形成され、共通電極１６上に共通配線１７が形成されている。共通配線１７は、図８に示すように、行方向に隣り合う画素１４の間を列方向に延在する第１部分１７ａと、列方向に隣り合う画素１４の間において第１部分１７ａから行方向に延在する第２部分１７ｂとを含む。共通電極１６と共通配線１７とを覆うように絶縁膜１０５が形成されている。図９に示すように、ソース電極２３の上方に位置する絶縁膜１０３、有機絶縁膜１０４及び絶縁膜１０５にはスルーホール２４が形成されている。絶縁膜１０５上及びスルーホール２４内には画素電極１５が形成され、画素電極１５を覆うように配向膜１０６が形成されている。これにより、画素電極１５とソース電極２３とが電気的に接続される。ガラス基板１０１におけるバックライト装置５０側（液晶層３００側とは反対側）の面（背面）には偏光板（図示せず）が貼り付けられている。また、ＴＦＴ基板１００には台座６０が形成されている。台座６０の具体的な構成については後述する。
【００３４】
ＣＦ基板２００では、各画素１４に対応して配置され、所定の光を透過する複数の光透過部２０２と、光の透過を遮断するブラックマトリクス２０３とが形成されている。複数の光透過部２０２は、例えば、赤色の着色部（赤色部）が形成され、赤色の光を透過する赤色光透過部と、緑色の着色部（緑色部）が形成され、緑色の光を透過する緑色光透過部と、青色の着色部（青色部）が形成され、青色の光を透過する青色光透過部と、を含んでいる。光透過部（着色部）の配列は、赤色光透過部、緑色光透過部、及び青色光透過部が列方向にこの順に繰り返し配列され、同一色の光透過部が行方向に配列する縦ストライプ配列でもよいし、赤色光透過部、緑色光透過部、及び青色光透過部が行方向にこの順に繰り返し配列され、同一色の光透過部が列方向に配列する横ストライプ配列でもよい。ブラックマトリクス２０３は、行方向及び列方向に隣り合う光透過部２０２の間の領域（境界部）に形成されている。
【００３５】
光透過部２０２及びブラックマトリクス２０３を覆うようにオーバコート層２０４が形成されている。オーバコート層２０４上にはスペーサ２１０が形成され、スペーサ２１０を覆うように配向膜２０５が形成されている。スペーサ２１０は、平面的に見て、ブラックマトリクス２０３に重なるように形成されている。スペーサ２１０は、通常の使用状態において、スペーサ２１０のＴＦＴ基板１００側の表面の少なくとも一部が台座６０の表面に接触する高さを有するように形成されている。なおスペーサ２１０は、通常の使用状態において台座６０の表面に接触しない高さを有するサブスペーサを含んでもよい。なお、スペーサ２１０及び台座６０は、赤色用画素と青色用画素と緑色用画素とを含む１つの画素組に対して１つ又は複数の割合で設けられていてもよいし、複数の画素組に対して１つの割合で設けられていてもよい。また、スペーサ２１０の形状は、円柱状、角柱状、円錐状等とすることができる。尚、図９では、スペーサ２１０を省略している。ガラス基板２０１における表示面側（液晶層３００側とは反対側）の面（表面）には偏光板（図示せず）が貼り付けられている。
【００３６】
液晶層３００には、液晶３０１が封入されている。液晶３０１は、誘電率異方性が負のネガ型液晶であってもよいし、誘電率異方性が正のポジ型液晶であってもよい。配向膜１０５，２０５は、ラビング配向処理が施された配向膜であってもよいし、光配向処理が施された光配向膜であってもよい。
【００３７】
図１１は、図７に示す領域Ｂに配置されるＴＦＴ１３の周辺領域を拡大した平面図である。図１２は図１１のＣ−Ｃ´断面図である。図１１のＡ−Ａ´切断線における断面構造は、図９に示した断面構造と同様であるため説明を省略する。以下では、領域Ａに対応する図８及び図１０と、領域Ｂに対応する図１１及び図１２とを用いて、台座６０の具体的な構成について説明する。
【００３８】
ＴＦＴ基板１００のＴＦＴ１３の近傍には台座６０が形成されている。台座６０は、ＴＦＴ基板１００において、液晶層３００側に突出した段差部の領域であり、ＣＦ基板２００に形成されるスペーサ２１０に対向する位置に形成されている。また、台座６０は、平面的に見て、ゲート線１２と半導体層２１とデータ線１１と共通電極１６と共通配線１７とが重畳する領域に形成されている。本実施形態に係る台座６０は、領域Ａに形成される第１台座６０ａ（図８及び図１０参照）と、領域Ｂに形成される第２台座６０ｂ（図１１及び図１２参照）とを含んでいる。第１台座６０ａの曲げ方向の幅Ｗｄ１（図１０参照）は、第２台座６０ｂの曲げ方向の幅Ｗｄ２（図１２参照）より広くなるように設定されている。すなわち、図１３のグラフに示すように、位置ずれ量が大きい領域Ａに配置される第１台座６０ａの曲げ方向（ここでは行方向）の幅Ｗｄ１と、位置ずれ領域が小さい領域Ｂに配置される第２台座６０ｂの曲げ方向（ここでは行方向）の幅Ｗｄ２は、Ｗｄ１＞Ｗｄ２を満たすように設定されている。尚、表示パネル１０の中央部側に配置される第２台座６０ｂの幅Ｗｄ２と、左右端部側に配置される第２台座６０ｂの幅Ｗｄ２とは、互いに等しくてもよい。また、複数の台座６０それぞれの、曲げ方向に直交する方向（ここでは列方向）の幅は互いに等しくてもよいし、行方向の幅と同様に、位置ずれ量が大きい領域Ａに配置される第１台座６０ａの列方向の幅が、位置ずれ領域が小さい領域Ｂに配置される第２台座６０ｂの列方向の幅より大きくてもよい。
【００３９】
上記構成によれば、位置ずれ量が大きい領域Ａでは、台座６０ａにおける上記位置ずれ方向の幅を広くしているためスペーサ２１０が台座６０ａから落ちることを防ぐことができる。このため、ＴＦＴ基板１００とＣＦ基板２００との間の距離（ギャップ）を保持することができるため、ギャップが変化することによる表示ムラを抑えることができる。また、位置ずれ量が小さい領域Ｂでは、第２台座６０ｂの幅を第１台座６０ａの幅よりも小さくしており、全ての台座６０の幅を一律に広くしていないため、開口率の低下を防ぐことができる。
【００４０】
上記構成では、台座６０の幅を２種類Ｗｄ１，Ｗｄ２に設定しているが、これに限定されない。例えば台座６０における、液晶表示装置１の曲げ方向の幅Ｗｄを、位置ずれ量に応じて異なるように設定してもよい。具体的には、図１４に示すように、位置ずれ量が最大となる領域に最も近接する台座６０の幅Ｗｄを最大値に設定し、最大位置ずれ領域から左端部及び中央部に近づく程、台座６０の幅Ｗｄを狭く設定してもよい。また、図１６に示すように、表示パネルの左右の領域において、最大位置ずれ領域から端部（左端部、右端部）までの位置ずれ量の変化の割合が、最大位置ずれ領域から中央部までの位置ずれ量の変化の割合よりも大きくなっている。そこで、台座６０の幅Ｗｄも、上記割合に応じて設定してもよい。具体的には、複数の台座６０それぞれの幅Ｗｄについて、幅Ｗｄが最大となる第１台座６０ａから、端部に配置される第２台座６０ｂまでのそれぞれの幅Ｗｄの変化の割合が、第１台座６０ａから、中央部に配置される第２台座６０ｂまでのそれぞれの幅Ｗｄの変化の割合よりも大きく設定されている。
【００４１】
本実施形態に係る液晶表示装置１は、上記構成に限定されない。例えば、ＣＦ基板２００に形成されるブラックマトリクス２０３は、液晶表示装置１の曲げ方向に直交する列方向に延在する列部分の行方向の幅が、領域Ａ及び領域Ｂで互いに異なるように設定されてもよい。具体的には、位置ずれ量が大きい領域Ａに配置されるブラックマトリクス２０３の曲げ方向（ここでは行方向）の幅Ｗａ２（図８参照）と、位置ずれ領域が小さい領域Ｂに配置されるブラックマトリクス２０３の曲げ方向（ここでは行方向）の幅Ｗａ１（図１１参照）は、Ｗａ２＞Ｗａ１を満たすように設定されてもよい。また、ブラックマトリクス２０３の幅は、図１５に示すように、位置ずれ量が最大となる領域（図１６の最大位置ずれ領域）に最も近接する列部分の幅が最大Ｗａ２となり、最大位置ずれ領域から左端部及び中央部に近づく程、列部分の幅が狭くなるように設定されてもよい。尚、台座６０の幅の変化率とブラックマトリクス２０３の幅の変化率とが、同一となるように設定されてもよい。上記ブラックマトリクス２０３の構成によれば、ＴＦＴ基板１００とＣＦ基板２００との位置ずれにより生じ得る混色や光漏れを抑えることができる。またブラックマトリクス２０３は、上記位置ずれ量に応じた幅を有しているため、開口率を必要以上に低下させることがない。尚、位置ずれ量が大きい領域Ａに配置されるブラックマトリクス２０３の曲げ方向に直交する方向（ここでは列方向）の幅Ｗｂ２（図８参照）と、位置ずれ領域が小さい領域Ｂに配置されるブラックマトリクス２０３の曲げ方向に直交する方向（ここでは列方向）の幅Ｗｂ１（図１１参照）も同様に、Ｗｂ２＞Ｗｂ１を満たすように設定されてもよい。
【００４２】
上記の構成では、曲げ方向が行方向の場合（図４参照）を示したが、曲げ方向が列方向の場合（図５参照）は、同様の考えに基づき、台座６０の列方向の幅を、位置ずれ量（図１６参照）に応じて異なるように設定すればよい。すなわち、平面的に見て、台座６０を構成する、ゲート線１２と半導体層２１とデータ線１１と共通電極１６と共通配線１７とが重畳する領域の列方向の幅を、位置ずれ量（図１６参照）に応じて形成されてもよい。また、曲げ方向に関わらず、台座６０の行方向の幅と列方向の幅の両方を、位置ずれ量（図１６参照）に応じて異なるように設定してもよい。
【００４３】
また、上記の構成では、共通電極１６上に共通配線１７が形成されているが、共通配線１７は省略されていても良い。この場合、台座６０は、平面的に見て、ゲート線１２と半導体層２１とデータ線１１と共通電極１６とが重畳する領域に形成されている。
【００４４】
ここで、複数のスペーサ２１０は、表示面の中央部側に配置される中央スペーサと、表示面の曲げ方向の端部側に配置される端部スペーサと、中央スペーサと端部スペーサとの間に配置される中間スペーサとを含んでいる。また、複数のＴＦＴ１３は、中央スペーサに対向する中央ＴＦＴと、端部スペーサに対向する端部ＴＦＴと、中間スペーサに対向する中間ＴＦＴとを含んでいる。
【００４５】
上述のように、台座６０は、平面的に見て、少なくとも、ゲート線１２と半導体層２１とデータ線１１と共通電極１６とが重畳する領域に形成されている。換言すると、台座６０は、少なくとも、ゲート線１２と半導体層２１とデータ線１１と共通電極１６とを構成要素として構成されている。このため、例えば、台座６０を構成する半導体層２１に着目すると、位置ずれ量が大きい領域Ａに配置される中間ＴＦＴを構成する半導体層２１の曲げ方向（ここでは行方向）の幅が、位置ずれ領域が小さい領域Ｂに配置される中央ＴＦＴを構成する半導体層２１の曲げ方向（ここでは行方向）の幅よりも大きく設定されている。また、例えば、台座６０を構成するゲート線１２に着目すると、位置ずれ量が大きい領域Ａに配置される中間スペーサに対向するゲート線１２の曲げ方向（ここでは行方向）の幅が、位置ずれ領域が小さい領域Ｂに配置される中央スペーサに対向するゲート線１２の曲げ方向（ここでは行方向）の幅よりも大きく設定されている。尚、曲げ方向が列方向の場合（図５参照）は、台座６０を構成するデータ線１１に着目すると、位置ずれ量が大きい領域Ａに配置される中間スペーサに対向するデータ線１１の曲げ方向（ここでは列方向）の幅が、位置ずれ領域が小さい領域Ｂに配置される中央スペーサに対向するデータ線１１の曲げ方向（ここでは列方向）の幅よりも大きく設定されている。
【００４６】
また、本実施形態に係る液晶表示装置１では、上述のように、例えば、領域Ａ，Ｂに応じてＴＦＴ１３の大きさが異なるように設定されていてもよい。具体的には、中間ＴＦＴのチャネル長が、中央ＴＦＴのチャネル長よりも長く設定されていてもよい。
【００４７】
上述した液晶表示装置１は、ＴＦＴ基板１００及びＣＦ基板２００に略平行な電界を液晶層３００に印加する横電界方式の構成を有している。液晶表示装置１は、例えば、ＩＰＳ（In Plane Switching）方式の構成を有している。なお、液晶表示装置１は、横電界方式に限定されず、例えばＶＡ（Vertical Alignment）方式の構成を有してもよい。
【００４８】
最後に、液晶表示装置１の駆動方法を簡単に説明する。ゲート線１２にはゲート線駆動回路３０から走査用のゲート電圧（ゲートオン電圧、ゲートオフ電圧）が供給される。データ線１１にはデータ線駆動回路２０から映像用のデータ電圧が供給される。ゲート線１２にゲートオン電圧が供給されると、ＴＦＴ１３がオン状態になり、データ線１１に供給されたデータ電圧が、ドレイン電極２２及びソース電極２３を介して画素電極１５に伝達される。共通電極１６には、共通電極駆動回路（図示せず）から共通電圧（Ｖｃｏｍ）が供給される。共通電極１６は、絶縁膜１０４を介して画素電極１５に重なっており、画素電極１５には、開口部（スリット）が形成されている。これにより、画素電極１５から液晶層３００を経て画素電極１５の開口部を介して共通電極１６に至る電界により液晶３０１が駆動する。液晶３０１が駆動して液晶層３００を透過する光の透過率を制御することにより画像が表示される。液晶表示装置１の駆動方法は上記の方法に限定されず、周知の方法を適用することができる。
【００４９】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００５０】
１  液晶表示装置、１０  表示パネル、２０  データ線駆動回路、３０  ゲート線駆動回路、４０  制御回路、５０  バックライト装置、１１  データ線、１２  ゲート線、１３  薄膜トランジスタ、１４  画素、１５  画素電極、１６  共通電極、１７  共通配線、１７ａ  第１部分、１７ｂ  第２部分、１００  薄膜トランジスタ基板、２００  カラーフィルタ基板、３００  液晶層、２０２  光透過部、２０３  ブラックマトリクス、２１０  スペーサ、６０  台座、６０ａ  第１台座、６０ｂ  第２台座。
【図１】
2017181677.tif 000003
【図２】
2017181677.tif 000004
【図３】
2017181677.tif 000005
【図４】
2017181677.tif 000006
【図５】
2017181677.tif 000007
【図６】
2017181677.tif 000008
【図７】
2017181677.tif 000009
【図８】
2017181677.tif 000010
【図９】
2017181677.tif 000011
【図１０】
2017181677.tif 000012
【図１１】
2017181677.tif 000013
【図１２】
2017181677.tif 000014
【図１３】
2017181677.tif 000015
【図１４】
2017181677.tif 000016
【図１５】
2017181677.tif 000017
【図１６】
2017181677.tif 000018